(57)【要約】【課題】複数個の電話交換装置を統括したシステムにあって、ＢＬＦ機能等の付加的なサービスを実現できるようにする。【解決手段】ボタン電話主装置ＢＴ１〜ＢＴ４間を、デジタル専用線ＰＮで接続するとともに、ＬＡＮ１で接続し、デジタル専用線ＰＮにおける音声信号等のリアルタイム性が要求される信号の伝送と、ＬＡＮ１における制御信号等のリアルタイム性に余裕がある信号の伝送とをそれぞれ独立して並列的に制御するようにした。【選択図】    図１
2004194214.tif 000002
【特許請求の範囲】
【請求項１】
終端に内線端末を接続できる少なくとも１つの内線を収容する電話交換装置を２以上備える交換ネットワークシステムであって、
前記複数の電話交換装置間を接続し、リアルタイム性が要求される第１の信号を伝送する第１の信号伝送路と、
この第１の信号伝送路とは独立して前記複数の電話交換装置間を接続し、前記第１の信号に比べてリアルタイム性が要求されない第２の信号を伝送する第２の信号伝送路とを具備し、
前記複数の電話交換装置の各々は、前記第１の信号伝送路との間で第１の信号を送受信する第１のインタフェースと、前記第２の信号伝送路との間で第２の信号を送受信する第２のインタフェースとを備えたことを特徴とする交換ネットワークシステム。
【請求項２】
前記第２の信号伝送路上に設けられ、前記複数の電話交換装置に対し交換制御を行うサーバ装置をさらに具備したことを特徴とする請求項１記載の交換ネットワークシステム。
【請求項３】
前記サーバ装置は、
前記複数の電話交換装置の各々に収容される複数の内線端末を分割して構成した複数の内線グループと、これらの内線グループに属する内線端末との対応関係を表すデータを記憶する内線グループデータ記憶手段と、
前記内線グループ宛の着信が到来した場合に、着信先の内線グループを前記内線グループデータ記憶手段から参照し、この参照結果に基づいて該当する内線グループの内線端末に対し着信制御を行うグループ着信制御手段とを備えたことを特徴とする請求項２記載の交換ネットワークシステム。
【請求項４】
前記サーバ装置は、
前記複数の電話交換装置を分割して構成した複数の発信グループと、これらの発信グループに属する電話交換装置との対応関係を表すデータを記憶する発信グループデータ記憶手段と、
前記内線端末から発信グループ宛への発信が行なわれた場合に、発信先の発信グループを前記発信グループデータ記憶手段から参照し、この参照結果に基づいて該当する発信グループの電話交換装置に対し発信制御を行うグループ発信制御手段とを備えたことを特徴とする請求項２記載の交換ネットワークシステム。
【請求項５】
前記複数の電話交換装置の各々は、
前記複数の内線端末ごとにその動作状態を示す動作情報を記憶する第１の動作データ記憶手段と、
前記複数の内線端末の各々についての動作状態を定期的に検出する動作状態検出手段と、
この動作状態検出手段により検出された動作状態と前記第１の動作データ記憶手段に記憶された動作状態とを比較することで、前記複数の内線端末の各々についての動作状態が変化したか否かを判定する動作変化判定手段と、
この動作変化判定手段により前記複数の内線端末の各々についての動作状態が変化したと判定された場合に、動作状態が変化した内線端末を示す情報、その動作状態を示す情報を含む動作履歴情報を前記第２の信号伝送路を介して前記サーバ装置に送信する動作履歴情報送信手段と、
この動作履歴情報送信手段による動作履歴情報の送信後に、前記第１の動作データ記憶手段中の変化のあった動作情報を更新する登録更新手段とを備え、
前記サーバ装置は、
前記複数の電話交換装置ごとに複数の内線端末の各々についての動作状態を示す動作情報を記憶する第２の動作データ記憶手段と、
前記電話交換装置から前記第２の信号伝送路を介して到来する前記複数の内線端末の各々についての動作履歴情報を受信し、この動作履歴情報の内容に応じて、前記第２の動作データ記憶手段の該当する動作情報を更新する更新制御手段とを備えたことを特徴とする請求項２記載の交換ネットワークシステム。
【請求項６】
前記サーバ装置は、表示器と、前記更新制御手段により更新された動作情報を前記表示器に表示する表示制御手段とをさらに備えたことを特徴とする請求項５記載の交換ネットワークシステム。
【請求項７】
前記第１の信号伝送路は、音声信号を伝送するデジタル専用線であり、
前記第２の信号伝送路は、制御信号を伝送するローカルエリア・ネットワークであることを特徴とする請求項１記載の交換ネットワークシステム。
【請求項８】
終端に内線端末を接続できる少なくとも１つの内線を収容する電話交換装置を２以上備え、これら複数の電話交換装置間が、リアルタイム性が要求される第１の信号を伝送する第１の信号伝送路、前記第１の信号に比べてリアルタイム性が要求されない第２の信号を伝送する第２の信号伝送路で接続される交換ネットワークシステムで使用される電話交換装置であって、
前記第１の信号伝送路との間で第１の信号を送受信する第１のインタフェースと、
前記第２の信号伝送路との間で第２の信号を送受信する第２のインタフェースとを具備したことを特徴とする電話交換装置。
【請求項９】
前記第２の信号伝送路上に、前記複数の内線端末の各々についての動作情報を管理するサーバ装置を備える場合に、
前記複数の内線端末ごとにその動作状態を示す動作情報を記憶する動作データ記憶手段と、
前記複数の内線端末の各々についての動作状態を定期的に検出する動作状態検出手段と、
この動作状態検出手段により検出された動作状態と前記第１の動作データ記憶手段に記憶された動作状態とを比較することで、前記複数の内線端末の各々についての動作状態が変化したか否かを判定する動作変化判定手段と、
この動作変化判定手段により前記複数の内線端末の各々についての動作状態が変化したと判定された場合に、動作状態が変化した内線端末を示す情報、その動作状態を示す情報を含む動作履歴情報を前記第２の信号伝送路を介して前記サーバ装置に送信する動作履歴情報送信手段と、
この動作履歴情報送信手段による動作履歴情報の送信後に、前記第１の動作データ記憶手段中の変化のあった動作情報を更新する登録更新手段とを具備したことを特徴とする請求項８記載の電話交換装置。
【発明の詳細な説明】
【０００１】
【発明の属する技術分野】
この発明は、例えばデジタル専用線を介して複数のボタン電話主装置間を接続し、これらボタン電話主装置間で交換サービスに係わる処理を実行する交換ネットワークシステム及びその電話交換装置に関する。
【０００２】
【従来の技術】
ネットワークシステムは、例えば複数の支店や営業所を有する企業内において、各支店または営業所にそれぞれＰＢＸ（Private Branch Exchange）またはボタン電話主装置といった電話交換装置を設置してこれらの電話交換装置間を専用線を介して接続したものである。この種のシステムでは、各電話交換装置ごとに内線間通信や公衆網等の局線発着信を行なえることは勿論のこと、異なる電話交換装置間での内線通信や異なる電話交換装置を経由した局線発着信を行なうことができる。
【０００３】
ところで、近年では、上記電話交換装置の高機能化に伴い、ＢＬＦ（Busy Lamp Field）機能といった各内線端末の動作状態をサーバ装置に通知するサービスの実施も検討されている（例えば特許文献１乃至特許文献３）。
【０００４】
【特許文献１】
特開２００２−１０１１９７号公報。
【０００５】
【特許文献２】
特開２００２−１５２２２４号公報。
【０００６】
【特許文献３】
特開２０００−１３８７１７号公報。
【０００７】
【発明が解決しようとする課題】
ところが、上記ネットワークシステムでは、電話交換装置単位で実施されているＢＬＦ機能について、まだ検討段階であって実現されていないのが現状である。
【０００８】
また、上記ネットワークシステムでは、電話交換装置単位で実施されているグループ着信、オートアテンダント、グループ発信等の付加的な発着信サービスについての実現手段がいまだ開発されていない。
【０００９】
この発明の目的は、複数個の電話交換装置を統括したシステムにあって、ＢＬＦ機能等の付加的なサービスをリアルタイム性が要求される信号に影響を与えることなく実現できるようにした交換ネットワークシステム及びその電話交換装置を提供することにある。
【００１０】
【課題を解決するための手段】
この発明に係る交換ネットワークシステムは、上記目的を達成するために、以下のように構成される。
（１）終端に内線端末を接続できる少なくとも１つの内線を収容する電話交換装置を２以上備える交換ネットワークシステムであって、複数の電話交換装置間を接続し、リアルタイム性が要求される第１の信号を伝送する第１の信号伝送路と、この第１の信号伝送路とは独立して複数の電話交換装置間を接続し、第１の信号に比べてリアルタイム性が要求されない第２の信号を伝送する第２の信号伝送路とを具備し、複数の電話交換装置の各々は、第１の信号伝送路との間で第１の信号を送受信する第１のインタフェースと、第２の信号伝送路との間で第２の信号を送受信する第２のインタフェースとを備えるようにしたものである。
【００１１】
（１）の発明によれば、音声信号等のリアルタイム性が要求される信号の伝送と、制御信号等のリアルタイム性に余裕がある信号の伝送とをそれぞれ独立して並列的に制御することができ、これにより複雑な交換処理や音声信号等のリアルタイム性が要求される信号の交換処理にも十分に対応できる。
【００１２】
（２）第２の信号伝送路上に設けられるサーバ装置をさらに具備し、このサーバ装置は、複数の電話交換装置の各々に収容される複数の内線端末を分割して構成した複数の内線グループと、これらの内線グループに属する内線端末との対応関係を表すデータを記憶する内線グループデータ記憶手段と、内線グループ宛の着信が到来した場合に、着信先の内線グループを内線グループデータ記憶手段から参照し、この参照結果に基づいて該当する内線グループの内線端末に対し着信制御を行うグループ着信制御手段とを備えたことを特徴とする。
【００１３】
（２）の発明によれば、電話交換装置が複数ある場合に、これら電話交換装置に接続される複数の内線端末を内線グループとしてグループ化してこの内線グループと複数の内線端末とを対応付けて第２の信号伝送路上のサーバ装置に集約して登録しておくことにより、内線グループ宛の着信が発生した際の内線グループを特定することができる。
【００１４】
（３）第２の信号伝送路上に設けられるサーバ装置をさらに具備し、このサーバ装置は、複数の電話交換装置を分割して構成した複数の発信グループと、これらの発信グループに属する電話交換装置との対応関係を表すデータを記憶する発信グループデータ記憶手段と、内線端末から発信グループ宛への発信が行なわれた場合に、発信先の発信グループを発信グループデータ記憶手段から参照し、この参照結果に基づいて該当する発信グループの電話交換装置に対し発信制御を行うグループ発信制御手段とを備えたことを特徴とする。
【００１５】
（３）の発明によれば、電話交換装置が複数ある場合に、これら電話交換装置を発信グループとしてグループ化してこの発信グループと複数の電話交換装置とを対応付けて第２の信号伝送路上のサーバ装置に集約して登録しておくことにより、各内線端末ごとに公衆網へ発信する際の電話交換装置を特定することができる。
【００１６】
（４）第２の信号伝送路上に設けられるサーバ装置をさらに具備し、複数の電話交換装置の各々は、複数の内線端末ごとにその動作状態を示す動作情報を記憶する第１の動作データ記憶手段と、複数の内線端末の各々についての動作状態を定期的に検出する動作状態検出手段と、この動作状態判定手段により検出された動作状態と第１の動作データ記憶手段に記憶された動作状態とを比較することで、複数の内線端末の各々についての動作状態が変化したか否かを判定する動作変化判定手段と、この動作変化判定手段により複数の内線端末の各々についての動作状態が変化したと判定された場合に、動作状態が変化した内線端末を示す情報、その動作状態を示す情報を含む動作履歴情報を第２の信号伝送路を介してサーバ装置に送信する動作履歴情報送信手段と、この動作履歴情報送信手段による動作履歴情報の送信後に、第１の動作データ記憶手段中の変化のあった動作情報を更新する登録更新手段とを備え、サーバ装置は、複数の電話交換装置ごとに複数の内線端末の各々についての動作状態を示す動作情報を記憶する第２の動作データ記憶手段と、電話交換装置から第２の信号伝送路を介して到来する複数の内線端末の各々についての動作履歴情報を受信し、この動作履歴情報の内容に応じて、第２の動作データ記憶手段の該当する動作情報を更新する更新制御手段とを備えるようにしたものである。
【００１７】
（４）の発明によれば、電話交換装置側で各内線端末についての動作情報を予め登録しておき、この登録した動作情報と定期的に検出した内線端末の動作状態を示す情報とを比較することで複数の内線端末の各々についての動作状態が変化したか否かが判定される。そして、動作状態が変化した場合に、各電話交換装置からサーバ装置へ動作状態が変化した内線端末を示す情報及びその動作状態を示す情報を含む動作履歴情報が第２の信号伝送路を介して伝送される。従って、１台のサーバ装置により全電話交換装置共通のＢＬＦ機能を実現できるとともに、各電話交換装置は動作状態の変化部分となる動作履歴情報のみを送信するだけでよいことになり、これにより第２の信号伝送路上の負荷が軽減し、他の第２の信号伝送路上の通信に影響を与えずに済む。また、電話交換装置においても、送信するデータ量が減るため、処理負荷が大幅に軽減される。さらに、サーバ装置においても、簡単かつ短時間に各電話交換装置における動作情報の更新を行うことができる。
【００１８】
（５）サーバ装置は、表示器と、更新制御手段により更新された動作情報を表示器に表示する表示制御手段とをさらに備えたことを特徴とする。
【００１９】
（５）の発明によれば、表示器に、最新の各電話交換装置ごとの内線端末の動作状態が表示されるので、ユーザは表示器を見て最新の情報を確認することができる。
【００２０】
【発明の実施の形態】
以下、この発明の実施形態について図面を参照して詳細に説明する。
図１は、この発明に係わる交換ネットワークシステムを示す概略構成図である。
このシステムは、同図に示すように、ボタン電話主装置ＢＴ１〜ＢＴ４を備え、これらボタン電話主装置ＢＴ１〜ＢＴ４相互間を通信チャネル（Ｂｃｈ）及び制御チャネル（Ｄｃｈ）を有するデジタル専用線ＰＮ（ＰＮ１−２，ＰＮ１−３，ＰＮ２−３，ＰＮ３−４）で接続している。これらボタン電話主装置ＢＴ１〜ＢＴ４は、それぞれ内線端末Ｔ１１〜Ｔ１ｉ，Ｔ２１〜Ｔ２ｍ，Ｔ３１，Ｔ４１〜Ｔ４ｋを内線を介して収容している。また、ボタン電話主装置ＢＴ１，ＢＴ４は公衆網ＮＷ１，ＮＷ２に局線Ｌを介して接続されている。
【００２１】
また、ボタン電話主装置ＢＴ１〜ＢＴ４は、ＬＡＮ（Local Area Network）１に接続されている。このＬＡＮ１には、サーバ装置ＳＶが接続されている。このサーバ装置ＳＶは、ボタン電話主装置ＢＴ１〜ＢＴ４に対する交換制御機能を有している。
【００２２】
次に、上記ボタン電話主装置ＢＴ１〜ＢＴ４の具体的構成について図２を参照して詳細に説明する。なお、ここでは、ボタン電話主装置ＢＴ１を代表して説明する。
【００２３】
ボタン電話主装置ＢＴ１は、局線インタフェースユニット１１と、内線インタフェースユニット１２と、デジタル専用線インタフェースユニット１３と、制御ユニット１４とを備え、これらは音声バス１５及び制御バス１６を介して相互に接続されている。
【００２４】
局線インタフェースユニット１１には、局線Ｌが必要に応じて接続される。局線インタフェースユニット１１は、接続された局線Ｌに関する局線インタフェース動作を行なう。局線インタフェース動作とは、公衆網ＮＷへの発信信号の送信や公衆網ＮＷからの着信信号の検出などである。また、局線インタフェースユニット１１は、上記局線インタフェース動作に係わる種々の制御情報の授受を、制御バス１６を介して制御ユニット１４との間で行なう。
【００２５】
内線インタフェースユニット１２には、複数の内線が必要に応じて接続される。内線インタフェースユニット１２は、接続された内線に関する内線インタフェース動作を行なう。内線インタフェース動作は、各内線への着信信号の送出や各内線からの発信信号の検出などである。また、内線インタフェースユニット１２は、上記内線インタフェース動作に係わる種々の制御情報の授受を、制御バス１６を介して制御ユニット１４との間で行なう。
【００２６】
デジタル専用線インタフェースユニット１３には、デジタル専用線ＰＮが必要に応じて接続される。デジタル専用線インタフェースユニット１３は、接続されたデジタル専用線ＰＮに関するデジタル専用線インタフェース動作を行なう。デジタル専用線インタフェース動作は、デジタル専用線ＰＮへの発信信号の送信やデジタル専用線ＰＮからの着信信号の検出などである。また、デジタル専用線インタフェースユニット１３は、上記デジタル専用線インタフェース動作に係わる種々の制御情報の授受を、制御バス１６を介して制御ユニット１４との間で行なう。
【００２７】
制御ユニット１４は、サブ制御部１４１と、主制御部１４２と、記憶部１４３と、タイムスイッチ１４４と、ＬＡＮインタフェース部（ＬＡＮ  Ｉ／Ｆ）１４５とを備える。このうち、サブ制御部１４１、主制御部１４２、記憶部１４３及びＬＡＮインタフェース部１４５はマイコンバス１４６を介して相互に接続されている。タイムスイッチ１４４は、主制御部１４２に直接接続されている。
【００２８】
サブ制御部１４１は、制御バス１６とマイコンバス１４６との間での制御情報の授受を行なう。主制御部１４２は、記憶部１４３に記憶された制御プログラム及び制御データに基づいて、ボタン電話主装置ＢＴ１内の全体の制御を実行する。記憶部１４３は、主制御部１４２が処理を実行するための制御プログラムや制御データを記憶するものであり、特に交換動作の際の各種データ等が記憶される。
【００２９】
タイムスイッチ１４４は、主制御部１４２の指示に従い、上記局線インタフェースユニット１１と、内線インタフェースユニット１２と、デジタル専用線インタフェースユニット１３との間で音声バス１５を介して伝送されるデジタル信号のチャネル交換を行なう。
【００３０】
ＬＡＮインタフェース部１４５は、マイコンバス１４６とＬＡＮ１との間の制御情報の授受に係わるインタフェース処理を行う。
【００３１】
（第１の実施形態）
この第１の実施形態は、図１におけるボタン電話主装置ＢＴ１〜ＢＴ４及びサーバ装置ＳＶに関するものである。
図３は、この第１の実施形態におけるサーバ装置ＳＶの機能構成を示すブロック図である。
【００３２】
サーバ装置ＳＶは、ＬＡＮ１に接続されたボタン電話主装置ＢＴ１〜ＢＴ４に対する交換制御機能に加えて、着信グループデータ記憶部１０１と、発信グループデータ記憶部１０２と、グループ着信制御部１０３と、グループ発信制御部１０４とを備えている。
【００３３】
着信グループデータ記憶部１０１には、例えば図４に示すように、内線端末Ｔ１１〜Ｔ１ｉ，Ｔ２１〜Ｔ２ｍ，Ｔ３１，Ｔ４１〜Ｔ４ｋを分割して構成した複数の着信グループＴＧ１，ＴＧ２，ＴＧ３と、これらの着信グループＴＧ１，ＴＧ２，ＴＧ３に属する内線端末Ｔ１１〜Ｔ１ｉ，Ｔ２１〜Ｔ２ｍ，Ｔ３１，Ｔ４１〜Ｔ４ｋとの対応関係を表すデータが記憶されている。
【００３４】
発信グループデータ記憶部１０２には、例えば図５に示すように、ボタン電話主装置ＢＴ１〜ＢＴ４を分割して構成した複数の発信グループＢＴＧ１，ＢＴＧ２と、これらの発信グループＢＴＧ１，ＢＴＧ２に属するボタン電話主装置ＢＴ１〜ＢＴ４との対応関係を表すデータが記憶されている。
【００３５】
グループ着信制御部１０３は、グループ宛の着信が到来した場合に、着信先のグループを着信グループデータ記憶部１０１から参照し、この参照結果に基づいて該当するグループの内線端末に対し着信制御を行う。
【００３６】
グループ発信制御部１０４は、内線端末から発信グループ宛への発信が行なわれた場合に、発信先の発信グループを発信グループデータ記憶部１０２から参照し、この参照結果に基づいて該当する発信グループのボタン電話主装置ＢＴ１〜ＢＴ４に対し発信制御を行う。
【００３７】
次に、以上のように構成されたシステムの種々動作について説明する。
（グループ着信動作）
例えば図６に示すように、公衆網ＮＷ１から着信グループＴＧ３に対する着信信号がボタン電話主装置ＢＴ１に到来したとする。そうすると、この着信信号に対応する着信データがボタン電話主装置ＢＴ１からＬＡＮ１を介してサーバ装置ＳＶに転送される。
【００３８】
サーバ装置ＳＶは、着信データが到来すると、着信グループデータ記憶部１０１中のデータに基づき、着信グループＴＧ３に属する内線端末Ｔ３１，Ｔ４１〜Ｔ４ｋに対しそれぞれ着信データを転送して着信報知を行わせる。
【００３９】
この着信報知に対し例えば内線端末Ｔ３１が応答すると、サーバ装置ＳＶは内線端末Ｔ３１と公衆網ＮＷ１との間にデジタル専用線ＰＮ１−３を経由した通信リンクを形成させる。
【００４０】
（グループ化されたボタン電話主装置を使用した公衆網への発信動作）
例えば図７に示すように、内線端末Ｔ３１にて発信グループＢＴＧ１を指定して公衆網ＮＷ１に対する発信が行なわれたとする。そうすると、この発信信号に対応する発信データがボタン電話主装置ＢＴ３からＬＡＮ１を介してサーバ装置ＳＶに転送される。
【００４１】
サーバ装置ＳＶは、発信データが到来すると、発信グループデータ記憶部１０２中のデータに基づき、発信グループＢＴＧ１に属するボタン電話主装置ＢＴ１，ＢＴ２の中から例えばボタン電話主装置ＢＴ１を選択する。そして、このボタン電話主装置ＢＴ１へ発信データを転送して公衆網ＮＷ１への発信を行わせる。
【００４２】
この発信に対し公衆網ＮＷ１は、着信先の外部端末を呼び出す。そして、この呼出しに対し外部端末が着信応答すると、その応答信号をボタン電話主装置ＢＴ１を介してサーバ装置ＳＶに通知する。サーバ装置ＳＶは、上記着信応答を確認すると、外部端末と内線端末Ｔ３１との間にデジタル専用線ＰＮ１−３を経由した通信リンクを形成させる。
【００４３】
以上のように上記第１の実施形態では、ボタン電話主装置ＢＴ１〜ＢＴ４間を、デジタル専用線ＰＮで接続するとともに、ＬＡＮ１で接続するようにしているので、デジタル専用線ＰＮにおける音声信号等のリアルタイム性が要求される信号の伝送と、ＬＡＮ１における制御信号等のリアルタイム性に余裕がある信号の伝送とをそれぞれ独立して並列的に制御することができる。
【００４４】
従って上記第１の実施形態によれば、複雑な交換処理や音声信号等のリアルタイム性が要求される信号の交換処理にも十分に対応できる。
【００４５】
また、上記第１の実施形態によれば、複数の内線端末Ｔ１１〜Ｔ１ｉ，Ｔ２１〜Ｔ２ｍ，Ｔ３１，Ｔ４１〜Ｔ４ｋを着信グループとしてグループ化し、この着信グループと複数の内線端末Ｔ１１〜Ｔ１ｉ，Ｔ２１〜Ｔ２ｍ，Ｔ３１，Ｔ４１〜Ｔ４ｋとを対応付けてサーバ装置ＳＶに集約して登録しておくことにより、着信グループ宛の着信が発生した際の着信グループを特定することができる。また、複数のボタン電話主装置ＢＴ１〜ＢＴ４を発信グループとしてグループ化し、この発信グループと複数のボタン電話主装置ＢＴ１〜ＢＴ４とを対応付けてサーバ装置ＳＶに集約して登録しておくことにより、内線端末Ｔ１１〜Ｔ１ｉ，Ｔ２１〜Ｔ２ｍ，Ｔ３１，Ｔ４１〜Ｔ４ｋごとに公衆網ＮＷ１，ＮＷ２へ発信する際のボタン電話主装置ＢＴ１〜ＢＴ４を特定することができる。
【００４６】
従って、各ボタン電話主装置ＢＴ１〜ＢＴ４にグループを特定するためのテーブルを設ける必要がなく、これによりプロセッサの処理能力を高めることなく、またメモリ容量を圧迫せずに済む。また、各ボタン電話主装置ＢＴ１〜ＢＴ４にグループ着信、グループ発信等の付加サービスを行うための特殊な装置を設けなくて済む。
【００４７】
（第２の実施形態）
この第２の実施形態は、図１におけるボタン電話主装置ＢＴ１〜ＢＴ４及びサーバ装置ＳＶに関するものである。
図８はこの第２の実施形態におけるボタン電話主装置ＢＴ１〜ＢＴ４の機能構成を示すブロック図であり、図９はこの第２の実施形態におけるサーバ装置ＳＶの機能構成を示すブロック図である。なお、図８において、ボタン電話主装置ＢＴ１〜ＢＴ４については、ボタン電話主装置ＢＴ１を代表して説明する。
【００４８】
すなわち、ボタン電話主装置ＢＴ１は、記憶部１４３に、ＢＬＦ情報記憶部１４３ａを設け、また主制御部１４２に、ＢＬＦ検出部１４２ａと、ＢＬＦ状態変化判定部１４２ｂと、ＢＬＦ履歴情報送信部１４２ｃと、ＢＬＦ情報更新部１４２ｄとを設けている。
【００４９】
ＢＬＦ情報記憶部１４３ａには、図１０に示すように、複数の内線端末Ｔ１１〜Ｔ１ｉごとにその動作状態を示すＢＬＦ情報が記憶されている。
ＢＬＦ検出部１４２ａは、各内線端末Ｔ１１〜Ｔ１ｉについての動作状態、つまり空か塞がっているかを定期的に検出する。
【００５０】
ＢＬＦ状態変化判定部１４２ｂは、上記ＢＬＦ検出部１４２ａにより検出された動作状態、つまりＢＬＦ情報とＢＬＦ情報記憶部１４３ａに記憶された動作状態、つまりＢＬＦ情報とを比較することで、複数の内線端末Ｔ１１〜Ｔ１ｉの各々についての動作状態が変化したか否かを判定する。
【００５１】
ＢＬＦ履歴情報送信部１４２ｃは、上記ＢＬＦ状態変化判定部１４２ｂにより複数の内線端末Ｔ１１〜Ｔ１ｉの各々についての動作状態が変化したと判定された場合に、動作状態が変化した内線端末を示す情報及びその動作状態を示す情報を含むＢＬＦ履歴情報を作成し、ＬＡＮ１を介してサーバ装置ＳＶに送信する。
【００５２】
ＢＬＦ情報更新部１４２ｄは、ＢＬＦ履歴情報送信部１４２ｃによるＢＬＦ履歴情報の送信後に、ＢＬＦ情報記憶部１４３ａ中の変化のあったＢＬＦ情報を、「空」から「塞」に、または「塞」から「空」に更新する。
【００５３】
これに対し、サーバ装置ＳＶは、ＢＬＦ情報記憶部１０５と、ＢＬＦ履歴情報受信部１０６と、ＢＬＦ情報更新部１０７と、ＢＬＦ情報表示処理部１０８とを備えている。さらに、表示器ＬＣＤも備えている。
ＢＬＦ情報記憶部１０５には、ボタン電話主装置ＢＴ１〜ＢＴ４ごとに複数の内線端末Ｔ２１〜Ｔ２ｍ，Ｔ３１，Ｔ４１〜Ｔ４ｋの各々についての動作状態を示す動作情報、つまりＢＬＦ情報が記憶されている。
【００５４】
ＢＬＦ履歴情報受信部１０６は、各ボタン電話主装置ＢＴ１〜ＢＴ４からＬＡＮ１を介して到来する複数の内線端末の各々についてのＢＬＦ履歴情報を受信する。
ＢＬＦ情報更新部１０７は、上記ＢＬＦ履歴情報受信部１０６で受信したＢＬＦ履歴情報の内容に応じて、ＢＬＦ情報記憶部１０５の該当する動作情報を更新する。
【００５５】
ＢＬＦ情報表示処理部１０８は、上記ＢＬＦ情報更新部１０７により更新された動作情報を表示器ＬＣＤに表示する。
【００５６】
次に、以上のように構成されたシステムの動作について説明する。
図１１は、ボタン電話主装置ＢＴ１の動作手順とその内容を示すフローチャートである。
ボタン電話主装置ＢＴ１の主制御部１４２は、各内線端末Ｔ１１〜Ｔ１ｉについてのＢＬＦ検出時刻になったか否かを監視しており（ステップＳＴ１０ａ）、検出時刻になった時点で（Ｙｅｓ）、各内線端末Ｔ１１〜Ｔ１ｉについてのＢＬＦ検出を行い（ステップＳＴ１０ｂ）、この検出したＢＬＦ情報とＢＬＦ情報記憶部１４３ａに記憶されたＢＬＦ情報とを比較し、これにより複数の内線端末Ｔ１１〜Ｔ１ｉの各々についての動作状態が変化したか否かの判定を行う（ステップＳＴ１０ｃ）。
【００５７】
そして、変化がなければそのまま処理を終了するが、変化があった場合に、主制御部１４２は変化の生じた内線端末Ｔ１１〜Ｔ１ｉ、及びその動作状態を示すＢＬＦ履歴情報を作成し（ステップＳＴ１０ｄ）、このＢＬＦ履歴情報をＬＡＮ１を介してサーバ装置ＳＶに送信する（ステップＳＴ１０ｅ）。以後、ＢＬＦ情報記憶部１４３ａ中の変化のあったＢＬＦ情報を、「空」から「塞」に、または「塞」から「空」に更新する（ステップＳＴ１０ｆ）。
【００５８】
図１２は、サーバ装置ＳＶの動作手順とその内容を示すフローチャートである。
サーバ装置ＳＶは、各ボタン電話主装置ＢＴ１〜ＢＴ４からＢＬＦ履歴情報を受信すると（ステップＳＴ１１ａ）、このＢＬＦ履歴情報の内容に従って、ＢＬＦ情報記憶部１０５中の該当するＢＬＦ情報の更新を行い（ステップＳＴ１１ｂ）、続いて表示要求があるか否かの判断を行う（ステップＳＴ１１ｃ）。ここで、表示要求がなければそのまま処理を終了するが、表示要求がある場合に、サーバ装置ＳＶはＢＬＦ情報記憶部１０５中のＢＬＦ情報を表示器ＬＣＤに表示する（ステップＳＴ１１ｄ）。
【００５９】
これにより、各ボタン電話主装置ＢＴ１〜ＢＴ４で全内線端末についてのＢＬＦ情報を送信する場合に比べて、ＬＡＮ１上の送信するデータ量を格段と少なくすることができる。
【００６０】
以上のように上記第２の実施形態では、ボタン電話主装置ＢＴ１に各内線端末Ｔ１１〜Ｔ１ｊについてのＢＬＦ情報を予め登録したＢＬＦ情報記憶部１４３ａを備えておき、このＢＬＦ情報記憶部１４３ａ中のＢＬＦ情報と定期的に検出した内線端末Ｔ１１〜Ｔ１ｊのＢＬＦ情報とを比較することで複数の内線端末Ｔ１１〜Ｔ１ｊの各々についての動作状態が変化したか否かを判定し、動作状態が変化した場合に、ボタン電話主装置ＢＴ１からサーバ装置ＳＶへ動作状態が変化した内線端末及びその動作状態を示すＢＬＦ履歴情報をＬＡＮ１を介して伝送するようにしている。なお、各ボタン電話主装置ＢＴ２〜ＢＴ４についても同様である。
【００６１】
従って、１台のサーバ装置ＳＶにより全ボタン電話主装置ＢＴ１〜ＢＴ４共通のＢＬＦ機能を実現できるとともに、各ボタン電話主装置ＢＴ１〜ＢＴ４は動作状態の変化部分となるＢＬＦ履歴情報のみを送信するだけでよいことになり、これによりＬＡＮ１上の負荷が軽減し、他のＬＡＮ１上の通信に影響を与えずに済む。また、各ボタン電話主装置ＢＴ１〜ＢＴ４においても、送信するデータ量が減るため、処理負荷が大幅に軽減される。さらに、サーバ装置ＳＶにおいても、簡単かつ短時間に各ボタン電話主装置ＢＴ１〜ＢＴ４におけるＢＬＦ情報の更新を行うことができる。
【００６２】
また、上記第２の実施形態によれば、サーバ装置ＳＶの表示器ＬＣＤに、最新の各ボタン電話主装置ＢＴ１〜ＢＴ４ごとの内線端末の動作状態が表示されるので、ユーザは表示器ＬＣＤを見て最新の情報を確認することができる。
【００６３】
なお、上記第２の実施形態では、各内線端末の「空」、「塞」のＢＬＦ情報を検出する例について説明したが、呼処理の動作の変化や、ＤＮＤの登録状態の変化等を検出するようにしてもよい。
【００６４】
（その他の実施形態）
この発明は、上記各実施形態に限定されるものではない。例えば、ＬＡＮやデジタル専用線以外にも、リアルタイム性が要求される信号を伝送する伝送路及びリアルタイム性に余裕がある信号を伝送する伝送路を備えるようにしてもよい。
【００６５】
また、上記第２の実施形態では、サーバ装置に表示器を備えるものとして説明したが、表示器を備えなくても同様に実施できる。この場合、音声により変化のあった内線端末の動作を通知するものであってもよい。
【００６６】
その他、システム構成や、ボタン電話主装置の種類やその構成、サーバ装置の種類や構成、内線端末の種類、付加サービスの種類、各制御の制御手順とその内容等についてもこの発明の要旨を逸脱しない範囲で種々変形して実施できる。
【００６７】
【発明の効果】
以上詳述したようにこの発明によれば、複数個の電話交換装置を統括したシステムにあって、ＢＬＦ機能等の付加的なサービスをリアルタイム性が要求される信号に影響を与えることなく実現できるようにした交換ネットワークシステム及びその電話交換装置を提供することができる。
【図面の簡単な説明】
【図１】この発明に係わる交換ネットワークシステムを示す概略構成図。
【図２】図１に示したボタン電話主装置の要部構成を示すブロック図。
【図３】この発明の第１の実施形態におけるサーバ装置の機能構成を示すブロック図。
【図４】図３に示した着信グループデータ記憶部の記憶内容の一例を示す図。
【図５】図３に示した発信グループデータ記憶部の記憶内容の一例を示す図。
【図６】同第１の実施形態におけるグループ着信動作を説明するための図。
【図７】同第１の実施形態におけるグループ発信動作を説明するための図。
【図８】この第２の実施形態におけるボタン電話主装置の機能構成を示すブロック図。
【図９】同第２の実施形態におけるサーバ装置の機能構成を示すブロック図。
【図１０】図８に示したボタン電話主装置のＢＬＦ情報記憶部の記憶内容の一例を示す図。
【図１１】図８に示したボタン電話主装置の動作手順とその内容を示すフローチャート。
【図１２】図９に示したサーバ装置の動作手順とその内容を示すフローチャート。
【符号の説明】
１…ＬＡＮ（Local Area Network）、
１１…局線インタフェースユニット、
１２…内線インタフェースユニット、
１３…デジタル専用線インタフェースユニット、
１４…制御ユニット、
１５…音声バス、
１６…制御バス、
１０１…着信グループデータ記憶部、
１０２…発信グループデータ記憶部、
１０３…グループ着信制御部、
１０４…グループ発信制御部、
１０５…ＢＬＦ情報記憶部、
１０６…ＢＬＦ履歴情報受信部、
１０７…ＢＬＦ情報更新部、
１０８…ＢＬＦ情報表示処理部、
１４１…サブ制御部、
１４２…主制御部、
１４３…記憶部、
１４４…タイムスイッチ、
１４５…マイコンバス、
１４２ａ…ＢＬＦ検出部、
１４２ｂ…ＢＬＦ状態変化判定部、
１４２ｃ…ＢＬＦ履歴情報送信部、
１４２ｄ…ＢＬＦ情報更新部、
１４３ａ…ＢＬＦ情報記憶部、
ＢＴ１〜ＢＴ４…ボタン電話主装置、
Ｔ１１〜Ｔ１ｉ，Ｔ２１〜Ｔ２ｍ，Ｔ３１，Ｔ４１〜Ｔ４ｋ…内線端末、
ＬＣＤ…表示器、
ＰＮ（ＰＮ１−２，ＰＮ１−３，ＰＮ２−３，ＰＮ３−４）…デジタル専用線、
ＮＷ１，ＮＷ２…公衆網。
ＳＶ…サーバ装置、
【図１】
2004194214.tif 000003
【図２】
2004194214.tif 000004
【図３】
2004194214.tif 000005
【図４】
2004194214.tif 000006
【図５】
2004194214.tif 000007
【図６】
2004194214.tif 000008
【図７】
2004194214.tif 000009
【図８】
2004194214.tif 000010
【図９】
2004194214.tif 000011
【図１０】
2004194214.tif 000012
【図１１】
2004194214.tif 000013
【図１２】
2004194214.tif 000014